(57)【要約】【課題】外反母趾などによる出っ張り部分に対する圧迫を軽減しかつその軽減状態を維持することによって、常に円滑な歩行を実現する履物を提供する。【解決手段】底部２と底部２上に設けられる甲被部３との間に足の出し入れが可能な空間Ｐが形成されて成る履物であり、前記甲被部３は、前記空間Ｐが拡縮するように幅方向へ伸縮可能に形成されるとともに、親指の中足骨骨頭部に対応させる部分に伸縮性を有する生地が部分的に設けられて柔軟壁１６が形成されている。前記甲被部３には甲被部３の伸び許容量を調整するためのベルト５が取り付けられている。【選択図】図２
2006314656.tif 000002
【特許請求の範囲】
【請求項１】
底部と底部上に設けられる甲被部との間に足の出し入れが可能な空間が形成されて成る履物において、前記甲被部は、前記空間が拡縮可能なように幅方向へ伸縮可能に形成されるとともに、親指の中足骨骨頭部に対応させる部分に伸縮性を有する生地が部分的に設けられており、前記甲被部には甲被部の伸び許容量を調整するためのベルトが取り付けられて成る履物。
【請求項２】
請求項１に記載された履物であって、前記甲被部は、さらに小指の中足骨骨頭部に対応させる部分にも伸縮性を有する生地が部分的に設けられて成る履物。
【請求項３】
前記伸縮性を有する生地が設けられている部分は、非伸縮性の生地によって周囲が囲まれている請求項１または２に記載された履物。
【請求項４】
前記甲被部は、内側面の親指の中足骨骨頭部に対応させる部分に二股状の非伸縮性の生地が設けられるとともに、前記非伸縮性の生地の二股部分の内側領域に前記伸縮性を有する生地が設けられて成る請求項１に記載された履物。
【請求項５】
前記甲被部は、内側面の親指の中足骨骨頭部に対応させる部分と外側面の小指の中足骨骨頭部に対応させる部分とに二股状の非伸縮性の生地が設けられるとともに、それぞれの非伸縮性の生地の二股部分の内側領域に前記伸縮性を有する生地が設けられて成る請求項２に記載された履物。
【請求項６】
前記伸縮性を有する生地は、ポリウレタン弾性繊維を用いて形成されたものである請求項１〜５のいずれかに記載された履物。
【請求項７】
前記ベルトは、伸縮性を有する生地が設けられている部分に対応する位置に取り付けられている請求項１または２に記載された履物。
【請求項８】
前記ベルトは、帯状の締付片と環状の留め金具とから成り、前記締付片の表面には、締付片を前記留め金具を通して折り返したときの対向位置に、面ファスナの雄部と雌部とが装着されている請求項１，２，７のいずれかに記載された履物。
【請求項９】
請求項１〜８のいずれかに記載された履物であって、前記甲被部の内側面および外側面の後端部間に、足の踵の後面に引っ掛けられる伸縮性を有する後部ベルトがさらに取り付けられて成る履物。
【発明の詳細な説明】
【技術分野】
【０００１】
この発明は、外反母趾、さらには内反小指のような足に障害をもつ人が履くのに好適なサンダルのような履物に関し、特に、痛みのある部位を圧迫することなく円滑な歩行を実現する履物に関する。
【背景技術】
【０００２】
近年、外反母趾のような足の障害をもつ人が増えている。外反母趾とは、一般に、親指が変形して小指の方へ曲がっている状態をいい、親指が身体の中心線に対して外反するので「外反母趾」と呼ばれている。外反母趾には複数のパターンがあり、例えば、足先の横アーチを支えている横中足靭帯が緩んで親指が小指側に曲がる靭帯性外反母趾、親指の付け根の骨（中足骨）の骨頭部が異常に出っ張って曲がったように見える仮骨性外反母趾、靭帯性外反母趾と仮骨性外反母趾とが併合した混合性外反母趾などがある。
【０００３】
一方、内反小指は、足の薬指と小指との間の中足靭帯が緩んで小指の付け根の骨（中足骨）の骨頭部が外側に出っ張った状態をいい、小指が身体の中心線に対して内反するので「内反小指」と呼ばれている。内反小指は、単独で発症する場合もあるが、靭帯性外反母趾や混合性外反母趾などに伴って発生する場合が殆どである。
【０００４】
外反母趾や内反小指のような障害があると、特に、出っ張った親指や小指の付け根（中足骨骨頭部に相当する部分）に痛みを伴うため、靴やサンダルなどを履くと、その出っ張り部分が甲被部により圧迫される結果、痛みが一層ひどくなり、円滑な歩行が困難となる。外反母趾などの障害を矯正するための靴、靴下、サポータなどが各種提案されているが、いずれも矯正を目的とするものであり、円滑な歩行を助けるものではない。
【０００５】
一般にサンダルは、底部と底部上に設けられる甲被部との間に足の出し入れが可能な空間が形成されたものであるが、足の甲の形態は人によって異なることから、甲被部の大きさを甲の高さや幅などの形態に応じて調節することが可能なサンダルが提案されている（例えば、特許文献１参照）。このサンダルによると、外反母趾や内反小指によって親指や小指の中足骨骨頭部が外側に出っ張っていても、その出っ張り度合に応じて甲被部の大きさを調整できるので、出っ張り部分への圧迫を多少なりとも軽減することが可能である。
【０００６】
【特許文献１】登録実用新案第３０５７７７９号公報
【発明の開示】
【発明が解決しようとする課題】
【０００７】
しかしながら、その種のサンダルを履いて歩行すると、足は底部と甲被部との間の空間へ次第に深く入り込むため、甲被部によって親指や小指の出っ張り部分が徐々に圧迫され、ついには痛みで歩行が困難となる。そこで、出っ張り部分の上に柔軟な布を当てて履物を履くようなことも行われているが、そのような当て布は歩行中に位置ずれし、却って円滑な歩行を阻害するおそれがある。
【０００８】
この発明は、上記した問題に着目してなされたもので、外反母趾などによる出っ張り部分に対する圧迫を軽減しかつその状態を維持することによって、円滑な歩行を実現する履物を提供することを目的とする。
【課題を解決するための手段】
【０００９】
この発明による履物は、底部と底部上に設けられる甲被部との間に足の出し入れが可能な空間が形成されて成るものであり、前記甲被部は、前記空間が拡縮可能なように幅方向へ伸縮可能に形成されるとともに、親指の中足骨骨頭部に対応させる部分に伸縮性を有する生地が部分的に設けられており、前記甲被部には甲被部の伸び許容量を調整するためのベルトが取り付けられている。
【００１０】
上記した構成の履物を履くに際して、底部と甲被部との間の空間へ足を挿入し、親指の中足骨骨頭部が伸縮性を有する生地が設けられた部分に対応位置するようにベルトにより甲被部の伸び許容量を調整する。かくして、その履物を履いて歩行したとき、歩行中に足が底部と甲被部との間の空間へ次第に深く入り込むようなことがなく、親指の中足骨骨頭部に伸縮性を有する生地が設けられた部分が定位する。その結果、たとえ外反母趾によって親指の中足骨骨頭部が外側へ出っ張っていても、その出っ張り度合に応じて生地が伸びるので、甲被部が親指の出っ張り部分を圧迫することがなく、親指の付け根の痛みによって歩行が困難となるおそれもない。
【００１１】
この発明による履物は、さらに、前記甲被部が小指の中足骨骨頭部に対応させる部分にも伸縮性を有する生地が部分的に設けられている。この実施態様によると、内反小指によって小指の中足骨骨頭部が外側に出っ張っていても、その出っ張り度合に応じて生地が伸びるので、甲被部が小指の出っ張り部分を圧迫することがなく、小指の付け根の痛みによって歩行が困難となるおそれもない。
【００１２】
この発明の好ましい一実施態様においては、前記伸縮性を有する生地が設けられている部分は、非伸縮性の生地によって周囲が囲まれている。
この実施態様によると、非伸縮性の生地によって親指や小指の出っ張り部分の周囲が支えられるので、伸縮性を有する生地が親指や小指の出っ張り部分によってむやみに伸びることがなく、中足骨の変形を矯正する働きもある。
【００１３】
伸縮性を有する生地を非伸縮性の生地によって周囲を囲むには種々の形態が考えられるが、外反母趾に対応させるには、前記甲被部の内側面の親指の中足骨骨頭部に対応させる部分に二股状の非伸縮性の生地を設けるとともに、前記非伸縮性の生地の二股部分の内側領域に前記伸縮性を有する生地を設けるようにする。
【００１４】
また、外反母趾と内反小指との両方に対応させるには、前記甲被部の内側面の親指の中足骨骨頭部に対応させる部分と外側面の小指の中足骨骨頭部に対応させる部分とに二股状の非伸縮性の生地を設けるとともに、それぞれの非伸縮性の生地の二股部分の内側領域に前記伸縮性を有する生地を設けるようにする。
【００１５】
この発明の好ましい実施態様においては、前記伸縮性を有する生地として、ポリウレタン弾性繊維を用いて形成されたものを用いるが、伸縮性を有する柔軟な生地であれば、これに限られるものではない。
【００１６】
前記ベルトは、伸縮性を有する生地が設けられている部分に対応する位置に取り付けるのが望ましいが、その位置に限定されるものではない。伸縮性を有する生地が設けられている部分にベルトを取り付ければ、ベルトによって親指や小指の出っ張り部分が伸縮性を有する生地が設けられている部分にしっかりと位置決め固定される。
【００１７】
前記ベルトには種々の形態が考えられるが、その一は、帯状の締付片と環状の留め金具とから成るものであって、前記締付片の表面には、締付片を前記留め金具を通して折り返したときの対向位置に、面ファスナの雄部と雌部とが装着されている。
この実施態様のベルトによると、面ファスナの雄部と雌部との噛み合わせ位置を変えるだけで、甲被部の伸び許容量を簡単に調整できる。
【００１８】
この発明のさらに好ましい実施態様においては、前記甲被部の内側面および外側面の後端部間に、足の踵の後面に引っ掛けられる伸縮可能な後部ベルトがさらに取り付けられている。この実施態様によると、底部と甲被部との空間より足が抜けるのが防止される。
【発明の効果】
【００１９】
この発明によると、親指の中足骨骨頭部、さらには小指の中足骨骨頭部に対応させる部分に伸縮性を有する生地を部分的に設けているので、外反母趾や内反小指によって中足骨骨頭部が出っ張っていても、その中足骨骨頭部の出っ張り部分が圧迫されることがなく、その出っ張り部分の痛みを軽減できる。しかも、歩行中に底部と甲被部との間の空間へ足が次第に深く入り込むことがなく、親指や小指の中足骨骨頭部が伸縮性を有する生地が設けられた部分に定位するので、出っ張り部分が圧迫されない状態を維持でき、常に円滑な歩行を実現できる。
【発明を実施するための最良の形態】
【００２０】
図１および図２は、この発明の一実施例であるサンダル１の外観を示す。なお、図示のサンダル１は右足用であるが、左足用についても同様の構成であり、ここでは図示並びに説明を省略する。
図示例のサンダル１は、外反足の矯正に有効な構成のもので、足裏を支持する底部２と、底部２上に設けられた甲被部３とから成り、底部２と甲被部３との間に足の出し入れが可能な空間Ｐが形成されている。甲被部３は、足の甲を固定するためのもので、非伸縮性の生地により形成されており、足の甲を内側面から上面にかけて覆う内被部３Ａと、足の甲を外側面から上面にかけて覆う外被部３Ｂとを含んでいる。なお、図１において、３５は内被部３Ａのほぼ長さ中央部に形成されている通気のための開口部である。
【００２１】
前記外被部３Ｂの前後の各位置には、図３および図４に示すように、先端に向けて細くなっている舌状片３０，３１がそれぞれ突設されている。前記内被部３Ａの内部には、各舌状片３０，３１の挿脱が可能な入口３２，３３を有する中空部３４が形成されている。各舌状片３０，３１の先端部には伸縮可能な帯状の弾性部材４，４の一端が接続され、各弾性部材４の他端が内被部３Ａの中空部３４の奥の位置に固定されている。このように内被部３Ａと外被部３Ｂとが前後二カ所で弾性部材４，４を介して連結されることにより、足の大きさに応じて前記空間Ｐが拡縮するように甲被部３が幅方向へ伸縮する。
【００２２】
なお、図２は弾性部材４，４の引っ張り力に抗して各舌状片３０，３１を引き出した状態を示している。また、図３および図４は、弾性部材４，４の引っ張り力が各舌状片３０，３１に作用して各舌状片３０，３１の先端部が中空部３４に引き入れられた状態を示している。なお、図４において、一点鎖線は底部２上の甲被部３内の空間Ｐに足が挿入されたときの伸びた状態を示す。
【００２３】
前記甲被部３は、図１に示されるように、内被部３Ａの前寄りの位置、すなわち、前記開口部３５の前方位置に、伸縮性を有する生地を用いて形成された第１の柔軟壁１６を備えるとともに、図５に示すように、外被部３Ｂの前寄りの位置、すなわち、前側の舌状片３０の基端部位置に、同じ伸縮性を有する生地を用いて形成された第２の柔軟壁１７を備えている。
【００２４】
図６は、第１、第２の各柔軟壁１６，１７の構造を示している。
同図中、５１は前記内被部３Ａや外被部３Ｂを構成する非伸縮性の生地５０を切り欠いて形成された開口部であり、この開口部５１に沿って二股状に裁断された非伸縮性の生地５２が当てられ、その生地５２の外周縁に沿って生地５０，５２間を糸１８で縫い付けることにより二股状部１４，１５が形成されている。上下の非伸縮性の生地５０，５２の内周縁間には伸縮性を有する生地５３の外周縁が挿入され、前記二股状部１４，１５を構成する生地５２の内周縁に沿って生地５０，５２，５３間を糸１９で一体に縫い付けることにより各柔軟壁１６，１７が形成されている。前記伸縮性を有する生地５３はポリウレタン弾性繊維を用いて形成されるが、伸縮性を有する柔軟な生地であれば、これに限られるものではない。
【００２５】
図７は、サンダル１の底部２上に支持される足１００の位置を示している。
同図中、点線の部分は第１、第２の各柔軟壁１６，１７が設けられる領域であり、第１の柔軟壁１６は親指１０１の中足骨骨頭部１０２の位置に、第２の柔軟壁１７は小指１０３の中足骨骨頭部１０４の位置に、それぞれに対応している。
【００２６】
サンダル１の底部２と甲被部３との間の空間Ｐに足１００を挿入したとき、親指１０１の中足骨骨頭部１０２が第１の柔軟壁１６に、小指１０３の中足骨骨頭部１０４が第２の柔軟壁１７に、それぞれ当たるように、内外の二股状部１４，１５の上端部間には、甲被部３の伸び許容量を調整するためのベルト５が取り付けられている。
前記ベルト５は、外被部３Ｂの二股状部１５の上端位置に取り付けられた帯状の締付片７と、内被部３Ａの二股状部１４の上端位置に取り付けられた環状の留め金具８とから成るもので、前記留め金具８は前記締付片７を通すことが可能な大きさに形成されている。
【００２７】
前記締付片７の上面には基端部に面ファスナ９のループ状の雌部が、先端部に面ファスナ９の鉤状の雄部が、それぞれ装着されている。締付片７を留め金具８に通して折り返し、面ファスナ９の雄部と雌部とを適所で噛み合わせて止着することにより、締付片７によって甲被部３の前部が固定され、かつ舌状片３０に接続された弾性部材４の伸び許容量が設定される。
【００２８】
内被部３Ａおよび外被部３Ｂの後端部間には、伸縮性を有する後部ベルト１３の両端部が取り外し可能なように釦止めされている。この後部ベルト１３を足の踵の後面に引っ掛けることにより甲被部３からの足の抜けが防止される。
【００２９】
図８は、上記したサンダル１の底部２の構成を示すもので、アウトソール２０とミッドソール２２とインナーソール２１とを上下に積層して形成されている。
前記ミッドソール２２は、クッション性を有するソール本体２３と、このソール本体２３の踵部の下面に設けられる傾斜板２４とで構成されている。前記傾斜板２４は、ソール本体２３より硬いクッション材により形成され、ソール本体２３の踵部の下面に接着剤により接合されている。この実施例では、ソール本体２３と傾斜板２４とは硬さが異なるエチレン−酢酸ビニル共重合体（ＥＶＡ）のような多孔質樹脂を用いて形成されている。
【００３０】
前記傾斜板２４の上面には、図９に示すように、外側へ低く傾斜する傾斜面２４ａが形成されており、一方、前記ソール本体２３の踵部の下面には前記傾斜板２４の傾斜面２４ａに沿う傾斜面２３ａが形成されている。傾斜板２４の傾斜面２４ａとソール本体２３の傾斜面２３ａとは重ねられ、両者は接着剤によって一体接合される。
【００３１】
前記傾斜板２４の傾斜面２４ａは水平面ｈに対する傾斜角度θが２〜９度に設定されるもので、この実施例では前記傾斜角度θを傾斜板２４の全長にわたってほぼ７度に設定している。また、この実施例の傾斜板２４は、その厚みを後端側が厚く、前端側にかけて次第に薄くなるように形成することにより、前端縁に生じる段差を小さくし、また、前足部に対して踵部が高くなるように、底部２をヒールアップしている。
【００３２】
上記したミッドソール２２のソール本体２３の上面は凹面状になっており、この凹面上にインナーソール２１が接合支持されている。
前記インナーソール２１は、シリコンやポリプロピレンを原料にした低反発弾性体により形成され、表面全体がメッシュ地２６により被覆されている。このインナーソール２１の踵部の上面には、足の踵を支持する凹部２１ａが形成されている。この凹部２１ａは、図１０に示すように、平面形状が略矩形状であり、全体が略同一深さに設定されている。凹部２１ａ内にはインナーソール２１より柔軟な踵支持板２５が嵌め込んで接合してあり、踵支持板２５の表面がソール本体２３の表面よりわずかに突出している。前記踵支持板２５は、インナーソール２１と同じ低反発素材を用いて構成してもよいが、ポリウレタン樹脂を組成とした発泡体、すなわち、低反発弾性ウレタンフォームを用いて構成することもできる。
なお、凹部２１ａには必ずしも踵支持板２５を装着する必要はないが、踵支持板２５を用いない場合は、凹部２１ａの開口縁や底周縁は曲面状に形成するのが望ましい。
【００３３】
前記インナーソール２１の前足部の上面には、足の中足骨骨頭部が当たる位置に、面状に盛り上がる凸部２１ｂが形成されている。この凸部２１ｂは、底部２のヒールアップに伴って発生する足の中足骨骨頭部にかかる負担を軽減するために形成されている。
【００３４】
図１１は、底部２を裏面側より見た図であり、アウトソール２０の構成を示している。
図示例のアウトソール２０は、ミッドソール２２の裏面に接合された複数枚（図示例では４枚）の接地板２７Ａ〜２７Ｄにより構成されている。各接地板２７Ａ〜２７Ｄは、例えばＳＢＲ（スチレン・ブタジエンゴム）などのゴム配合物またはエラストマー配合物により形成され、表面には滑り止めのための切り溝２８や溝状または突状の模様４０が形成されている。
前記ミッドソール２２のソール本体２３の裏面には、各接地板２７Ａ〜２７Ｄの境界部分に、底部２が屈曲し易いように、Ｖ字状の溝２９が斜め方向に形成されている。
【００３５】
上記した構成のサンダル１を履くとき、底部２上の甲被部３内の空間Ｐに足を差し入れると、足の甲の形態に応じた長さだけ前後位置の弾性部材４，４が伸びる。この伸び量だけ内被部３Ａの中空部３４より外被部３Ｂの各舌状片３０，３１が抜け出るので、内被部３Ａと外被部３Ｂとの間の空間Ｐが拡開し、甲被部３が足の甲の高さおよび幅に応じた長さとなる。この状態において、親指１０１の中足骨骨頭部１０２が伸縮性を有する生地５３が設けられた第１の柔軟壁１６に、小指１０３の中足骨骨頭部１０４が伸縮性を有する生地５３が設けられた第２の柔軟壁１７に、それぞれ対応位置するようにベルト５を締めて甲被部３を固定する。
【００３６】
かくして、サンダル１を履いて歩行したとき、歩行中に足１００が底部２と甲被部３との間の空間Ｐへ次第に深く入り込むようなことがなく、親指１０１の中足骨骨頭部１０２上に伸縮性を有する生地５３が設けられた第１の柔軟壁１６が定位し、また、小指１０３の中足骨骨頭部１０４上に伸縮性を有する生地５３が設けられた第２の柔軟壁１７が定位する。その結果、たとえ外反母趾や内反小指によって親指１０１や小指１０３の中足骨骨頭部１０２，１０４が外側へ出っ張っていても、その出っ張り度合に応じて生地５３が伸びるので、甲被部３が親指や小指の出っ張り部分を圧迫することがなく、親指や小指の付け根の痛みによって歩行が困難となるおそれもない。
【００３７】
しかも、二股状部１４，１５を構成する非伸縮性の生地５２によって親指１０１や小指１０３の出っ張り部分の周囲が支えられるので、伸縮性を有する生地５３が親指１０１や小指１０３の出っ張り部分によってむやみに伸びることがなく、中足骨の変形を矯正する働きもある。
【００３８】
また、サンダル１を履いた状態では、前後位置において弾性部材４の復元力が外被部３Ｂに作用して内被部３Ａに向けて引っ張るので、足の甲は甲被部３によって加圧状態で保持されるものの、甲被部３は拡縮可能であるので、圧迫感がなく、快適な履き心地が得られる。また、甲被部３に無理な力が掛かっても、弾性部材４が伸びるので、甲被部３が外れてサンダルが脱落するなどのおそれはない。さらに、ベルト５により弾性部材４の伸び許容量が設定されているので、必要以上に弾性部材４が伸びて甲被部３が拡開することもなく、サンダル１が脱げて歩行に支障をきたすこともない。
【００３９】
また、足が底部２上に固定されたとき、足の踵はインナーソール２１の踵部に設けられた踵支持板２５上に支持される。踵支持板２５は足の荷重により踵の形状に沿って凹部２１ａ内で圧縮変形するので、踵は凹部２１ａ内に嵌まった状態で安定支持される。
足の荷重はインナーソール２１およびミッドソール２２のソール本体２３を圧縮変形させ、傾斜板２４の傾斜面２４ａに作用する。傾斜板２４の上面は外側へ低く傾斜する傾斜面２４ａになっているので、図９に示すように、荷重に対する傾斜面２４ａからの抗力Ｎの外向きの水平分力Ｎｘが外反足を矯正する力として作用するとともに、オーバープロネーション（超外反運動）の発生を抑制する。
【００４０】
また、前記底部２は、前足部に対して踵部がヒールアップされているので、外反足によるアキレス腱や腓腹筋などの下腿部の負担が取り除かれる。さらに、インナーソール２１の前足部の上面には、足の中足骨骨頭部が当たる位置に、面状に盛り上がる凸部２１ｂが形成されているので、ヒールアップに伴う代償として発生する中足骨骨頭部の負担が軽減される。
【図面の簡単な説明】
【００４１】
【図１】この発明にかかるサンダルの外観を示す斜視図である。
【図２】図１のサンダルを前方より見た斜視図である。
【図３】サンダルの甲被部を拡大して示す平面図である。
【図４】図３のＡ−Ａ線に沿う断面図である。
【図５】外被部における第２の柔軟壁の構成を示す拡大図である。
【図６】図１のＢ−Ｂ線に沿う断面図である。
【図７】サンダルの底部上に支持される足の位置を示す平面図である。
【図８】底部の縦断面図である。
【図９】図８のＣ−Ｃ線に沿う底部の断面図である。
【図１０】図１のサンダルのインナーソールの平面図である。
【図１１】図１のサンダルのアウトソールの底面図である。
【符号の説明】
【００４２】
１    サンダル
２    底部
３    甲被部
３Ａ  内被部
３Ｂ  外被部
５    ベルト
１４，１５  二股状部
１６，１７  柔軟壁
５２  非伸縮性の生地
５３  伸縮性を有する生地
【図１】
2006314656.tif 000003
【図２】
2006314656.tif 000004
【図３】
2006314656.tif 000005
【図４】
2006314656.tif 000006
【図５】
2006314656.tif 000007
【図６】
2006314656.tif 000008
【図７】
2006314656.tif 000009
【図８】
2006314656.tif 000010
【図９】
2006314656.tif 000011
【図１０】
2006314656.tif 000012
【図１１】
2006314656.tif 000013